(57)【特許請求の範囲】
【請求項１】
１層の柱部と１つの柱梁仕口部とを１階層として、上方に向かって第１階層、第２階層および第３階層からなる３階層分を一単位として柱を構築するために、架構の高さ方向に交互に設けられる３層柱ユニットおよび１層用外殻ＰＣａ柱部材、並びに梁を構築するために、該柱梁仕口部に接合されるＰＣａ梁部材を備え、これら３層柱ユニット、１層用外殻ＰＣａ柱部材およびＰＣａ梁部材が現場打ちコンクリートで一体化されるＲＣ造柱・梁架構であって、
上記３層柱ユニットは、第１階層柱部と第２階層柱部との間に第１階層柱梁仕口部を備え、かつ該第１階層柱梁仕口部に、これを貫通して外方へ突出する貫通梁主筋が配筋され、柱建て込み位置に設けられる２層用外殻ＰＣａ柱部材と、該２層用外殻ＰＣａ柱部材に組み込まれ、柱建て込み位置の既設の柱主筋と接合されて当該２層用外殻ＰＣａ柱部材から上方へ１階層分以上突出される柱主筋とから構成され、
上記１層用外殻ＰＣａ柱部材は、上記２層用外殻ＰＣａ柱部材上に形成される第２階層柱梁仕口部上に、当該第２階層柱梁仕口部から突出する上記柱主筋が挿通されつつ設けられて、第３階層柱部を形成し、
上記ＰＣａ梁部材は、上記第１階層柱梁仕口部、上記第２階層柱梁仕口部および上記１層用外殻ＰＣａ柱部材上に形成される第３階層柱梁仕口部に接合される
ことを特徴とするＲＣ造柱・梁架構。
【請求項２】
前記ＰＣａ梁部材として、短尺ＰＣａ梁部材および長尺ＰＣａ梁部材を備え、上記短尺ＰＣａ梁部材は、前記第１階層柱梁仕口部の前記貫通梁主筋と接合される梁主筋を有し、前記長尺ＰＣａ梁部材は、前記第２および第３階層柱梁仕口部に配筋される梁主筋を有することを特徴とする請求項１に記載のＲＣ造柱・梁架構。
【請求項３】
請求項１に記載のＲＣ造柱・梁架構を構築する方法であって、
前記３層柱ユニット、前記１層用外殻ＰＣａ柱部材および前記ＰＣａ梁部材を用い、
上記３層柱ユニットを、その前記柱主筋を柱建て込み位置に突設される既設の柱主筋と接合して前記２層用外殻ＰＣａ柱部材から上方へ１階層分以上突出させた状態で、当該柱建て込み位置に建て込むステップと、上記３層柱ユニットの側方に上記ＰＣａ梁部材を建て込んで、その梁主筋を前記第１階層柱梁仕口部の前記貫通梁主筋に接合するステップと、上記貫通梁主筋と上記梁主筋との接合部に現場打ちコンクリートを打設して、上記第１階層柱梁仕口部に上記ＰＣａ梁部材を接合するステップと、上記２層用外殻ＰＣａ柱部材内部に現場打ちコンクリートを打設するステップとを含む第１工程と、
上記３層柱ユニットの上記２層用外殻ＰＣａ柱部材上に他の上記ＰＣａ梁部材を建て込んで、その梁主筋を第２階層柱梁仕口部位置に配筋するステップと、第２階層柱梁仕口部位置に現場打ちコンクリートを打設して、前記第２階層柱梁仕口部を構築しつつこれに他の上記ＰＣａ梁部材を接合するステップとを含む第２工程と、
上記第２階層柱梁仕口部上に、これより突出する上記柱主筋を挿通しつつ上記１層用外殻ＰＣａ柱部材を建て込むステップと、上記１層用外殻ＰＣａ柱部材上にさらに他の上記ＰＣａ梁部材を建て込んで、その梁主筋を第３階層柱梁仕口部位置に配筋するステップと、上記１層用外殻ＰＣａ柱部材内部に現場打ちコンクリートを打設するステップと、第３階層柱梁仕口部位置に現場打ちコンクリートを打設して、前記第３階層柱梁仕口部を構築しつつこれにさらに他の上記ＰＣａ梁部材を接合し、上記柱主筋がその上方へ突設される当該第３階層柱梁仕口部を上記柱建て込み位置とするステップとを含む第３工程とを備え、
これら第１工程から第３工程の手順を繰り返すことを特徴とするＲＣ造柱・梁架構の構築方法。
【請求項４】
前記ＰＣａ梁部材は、前記第１階層柱梁仕口部の前記貫通梁主筋と接合される前記梁主筋を有する短尺ＰＣａ梁部材であり、前記他のＰＣａ梁部材および前記さらに他のＰＣａ梁部材は、前記第２および第３階層柱梁仕口部位置に配筋される前記梁主筋を有する長尺ＰＣａ梁部材であることを特徴とする請求項３に記載のＲＣ造柱・梁架構の構築方法。
【請求項５】
前記３層柱ユニットの前記柱主筋は、前記２層用外殻ＰＣａ柱部材内にその高さ方向に沿って移動自在に設けられ、該３層柱ユニットの建て込みに際しては、前記柱建て込み位置に突設される前記既設の柱主筋との接合のために該２層用外殻ＰＣａ柱部材下方へ突出されることを特徴とする請求項３または４に記載のＲＣ造柱・梁架構の構築方法。
【請求項６】
前記柱に沿って現場打ちされるコンクリートと、前記梁に沿って現場打ちされるコンクリートとを打ち分けることを特徴とする請求項３〜５いずれかの項に記載のＲＣ造柱・梁架構の構築方法。
【請求項７】
前記柱主筋には予め、当該柱主筋の長さ方向に沿って配筋される複数のフープ筋が適宜位置にまとめて保持されていることを特徴とする請求項３〜６いずれかの項に記載のＲＣ造柱・梁架構の構築方法。
【発明の詳細な説明】
【技術分野】
【０００１】
本発明は、建物の３階層分を一単位として、さらなる施工の合理化・省力化を達成することが可能なＲＣ造柱・梁架構およびその構築方法に関する。
【背景技術】
【０００２】
従来、施工効率の高い柱および梁の構築方法として、特許文献１および特許文献２が知られている。特許文献１は、各施工階毎の揚重回数が少なく、柱主筋と柱主筋との接続回数が少なく、現場で柱主筋に柱剪断補強筋を配筋する必要がなく、施工効率の高い柱の構築方法、並びに柱および梁の構築方法を提供することを目的とし、フルＰＣ柱は、２階分の階高長さを有する第１柱主筋が埋設されるとともに、上部に１階分の柱剪断補強筋が束ねて仮止めされており、第２柱主筋に接続されて立設される。（Ｎ−１）階からの第３柱主筋のＮ階部分には、柱剪断補強筋が配筋されて柱型枠が形成される。ハーフＰＣ梁は、一端側の梁主筋を第１柱主筋に挿入する一方、他端側の梁主筋を第３柱主筋に挿入して吊り降ろされ、フルＰＣ柱と柱型枠との間に架設される。
【０００３】
その結果、フルＰＣ柱のＮ階への揚重回数、第１柱主筋の接続回数を従来の半分にできる。また、柱剪断補強筋を第１柱主筋の上方に仮止めしておくことで、ハーフＰＣ梁の架設と柱剪断補強筋の配筋を容易にできる。
【０００４】
特許文献２は、特許文献１と同様な目的を有し、先組柱主筋は、２階分の階高長さを有して上部に（１階分＋パネルゾーン分）の柱剪断補強筋が束ねて仮止めされており、（Ｎ−２）階からの第２柱主筋に接続されて立設される。先組柱主筋のＮ階部分には第１柱型枠が形成される一方、（Ｎ−１）階からの第３柱主筋のＮ階部分には第２柱型枠が形成されて、コンクリートが打設される。ハーフＰＣ梁は、一端側の梁主筋を先組柱主筋に挿入する一方、他端側の梁主筋を第３柱主筋に挿入して吊り降ろされて架設される。その結果、先組柱主筋のＮ階への揚重回数、先組柱主筋の接続回数を従来の半分にできる。また、柱剪断補強筋を先組柱主筋の上方に仮止めしておくことで、ハーフＰＣ梁の架設と柱剪断補強筋の配筋を容易にできる。
【特許文献１】特開２０００−２６５５４５号公報
【特許文献２】特開２０００−２６５５４６号公報
【発明の開示】
【発明が解決しようとする課題】
【０００５】
ところで、上記背景術は、建物２階分の施工を基準として各種作業の省力化を実現できるものであるが、さらに多層階に対する施工作業を単位としてその施工の合理化、省力化を達成することが可能な柱・梁架構の構成およびその構築方法の案出が望まれていた。
【０００６】
本発明は上記従来の課題に鑑みて創案されたものであって、建物の３階層分を一単位として、さらなる施工の合理化・省力化を達成することが可能なＲＣ造柱・梁架構およびその構築方法を提供することを目的とする。
【課題を解決するための手段】
【０００７】
本発明にかかるＲＣ造柱・梁架構は、１層の柱部と１つの柱梁仕口部とを１階層として、上方に向かって第１階層、第２階層および第３階層からなる３階層分を一単位として柱を構築するために、架構の高さ方向に交互に設けられる３層柱ユニットおよび１層用外殻ＰＣａ柱部材、並びに梁を構築するために、該柱梁仕口部に接合されるＰＣａ梁部材を備え、これら３層柱ユニット、１層用外殻ＰＣａ柱部材およびＰＣａ梁部材が現場打ちコンクリートで一体化されるＲＣ造柱・梁架構であって、上記３層柱ユニットは、第１階層柱部と第２階層柱部との間に第１階層柱梁仕口部を備え、かつ該第１階層柱梁仕口部に、これを貫通して外方へ突出する貫通梁主筋が配筋され、柱建て込み位置に設けられる２層用外殻ＰＣａ柱部材と、該２層用外殻ＰＣａ柱部材に組み込まれ、柱建て込み位置の既設の柱主筋と接合されて当該２層用外殻ＰＣａ柱部材から上方へ１階層分以上突出される柱主筋とから構成され、上記１層用外殻ＰＣａ柱部材は、上記２層用外殻ＰＣａ柱部材上に形成される第２階層柱梁仕口部上に、当該第２階層柱梁仕口部から突出する上記柱主筋が挿通されつつ設けられて、第３階層柱部を形成し、上記ＰＣａ梁部材は、上記第１階層柱梁仕口部、上記第２階層柱梁仕口部および上記１層用外殻ＰＣａ柱部材上に形成される第３階層柱梁仕口部に接合されることを特徴とする。
【０００８】
前記ＰＣａ梁部材として、短尺ＰＣａ梁部材および長尺ＰＣａ梁部材を備え、上記短尺ＰＣａ梁部材は、前記第１階層柱梁仕口部の前記貫通梁主筋と接合される梁主筋を有し、前記長尺ＰＣａ梁部材は、前記第２および第３階層柱梁仕口部に配筋される梁主筋を有することを特徴とする。
【０００９】
本発明にかかるＲＣ造柱・梁架構の構築方法は、請求項１に記載のＲＣ造柱・梁架構を構築する方法であって、前記３層柱ユニット、前記１層用外殻ＰＣａ柱部材および前記ＰＣａ梁部材を用い、上記３層柱ユニットを、その前記柱主筋を柱建て込み位置に突設される既設の柱主筋と接合して前記２層用外殻ＰＣａ柱部材から上方へ１階層分以上突出させた状態で、当該柱建て込み位置に建て込むステップと、上記３層柱ユニットの側方に上記ＰＣａ梁部材を建て込んで、その梁主筋を前記第１階層柱梁仕口部の前記貫通梁主筋に接合するステップと、上記貫通梁主筋と上記梁主筋との接合部に現場打ちコンクリートを打設して、上記第１階層柱梁仕口部に上記ＰＣａ梁部材を接合するステップと、上記２層用外殻ＰＣａ柱部材内部に現場打ちコンクリートを打設するステップとを含む第１工程と、上記３層柱ユニットの上記２層用外殻ＰＣａ柱部材上に他の上記ＰＣａ梁部材を建て込んで、その梁主筋を第２階層柱梁仕口部位置に配筋するステップと、第２階層柱梁仕口部位置に現場打ちコンクリートを打設して、前記第２階層柱梁仕口部を構築しつつこれに他の上記ＰＣａ梁部材を接合するステップとを含む第２工程と、上記第２階層柱梁仕口部上に、これより突出する上記柱主筋を挿通しつつ上記１層用外殻ＰＣａ柱部材を建て込むステップと、上記１層用外殻ＰＣａ柱部材上にさらに他の上記ＰＣａ梁部材を建て込んで、その梁主筋を第３階層柱梁仕口部位置に配筋するステップと、上記１層用外殻ＰＣａ柱部材内部に現場打ちコンクリートを打設するステップと、第３階層柱梁仕口部位置に現場打ちコンクリートを打設して、前記第３階層柱梁仕口部を構築しつつこれにさらに他の上記ＰＣａ梁部材を接合し、上記柱主筋がその上方へ突設される当該第３階層柱梁仕口部を上記柱建て込み位置とするステップとを含む第３工程とを備え、これら第１工程から第３工程の手順を繰り返すことを特徴とする。
【００１０】
前記ＰＣａ梁部材は、前記第１階層柱梁仕口部の前記貫通梁主筋と接合される前記梁主筋を有する短尺ＰＣａ梁部材であり、前記他のＰＣａ梁部材および前記さらに他のＰＣａ梁部材は、前記第２および第３階層柱梁仕口部位置に配筋される前記梁主筋を有する長尺ＰＣａ梁部材であることを特徴とする。
【００１１】
前記３層柱ユニットの前記柱主筋は、前記２層用外殻ＰＣａ柱部材内にその高さ方向に沿って移動自在に設けられ、該３層柱ユニットの建て込みに際しては、前記柱建て込み位置に突設される前記既設の柱主筋との接合のために該２層用外殻ＰＣａ柱部材下方へ突出されることを特徴とする。
【００１２】
前記柱に沿って現場打ちされるコンクリートと、前記梁に沿って現場打ちされるコンクリートとを打ち分けることを特徴とする。
【００１３】
前記柱主筋には予め、当該柱主筋の長さ方向に沿って配筋される複数のフープ筋が適宜位置にまとめて保持されていることを特徴とする。
【発明の効果】
【００１４】
本発明にかかるＲＣ造柱・梁架構およびその構築方法にあっては、建物の３階層分を一単位として、さらなる施工の合理化・省力化を達成することができる。
【発明を実施するための最良の形態】
【００１５】
以下に、本発明にかかるＲＣ造柱・梁架構およびその構築方法の好適な一実施形態を、添付図面を参照して詳細に説明する。本実施形態にかかるＲＣ造柱・梁架構は基本的には、図１から図４に示すように、１層の柱部と１つの柱梁仕口部とを１階層として、上方に向かって第１階層、第２階層および第３階層からなる３階層分を一単位として柱を構築するために、架構の高さ方向に交互に設けられる３層柱ユニット１および１層用外殻ＰＣａ柱部材２、並びに梁を構築するために、柱梁仕口部３ａ〜３ｃに接合されるＰＣａ梁部材４ａ，４ｂ，５を備え、これら３層柱ユニット１、１層用外殻ＰＣａ柱部材２およびＰＣａ梁部材４ａ，４ｂ，５が現場打ちコンクリートで一体化されるＲＣ造柱・梁架構であって、３層柱ユニット１は、第１階層柱部６ａと第２階層柱部６ｂとの間に第１階層柱梁仕口部３ａを備え、かつ第１階層柱梁仕口部３ａに、これを貫通して外方へ突出する貫通梁主筋７が配筋され、柱建て込み位置に設けられる２層用外殻ＰＣａ柱部材６と、２層用外殻ＰＣａ柱部材６に組み込まれ、柱建て込み位置の既設の柱主筋８と接合されて当該２層用外殻ＰＣａ柱部材６から上方へ１階層分以上突出される（図中、Ｐで示す）柱主筋９とから構成され、１層用外殻ＰＣａ柱部材２は、２層用外殻ＰＣａ柱部材６上に形成される第２階層柱梁仕口部３ｂ上に、当該第２階層柱梁仕口部３ｂから突出する柱主筋９が挿通されつつ設けられて、第３階層柱部６ｃを形成し、ＰＣａ梁部材４ａ，４ｂ，５は、第１階層柱梁仕口部３ａ、第２階層柱梁仕口部３ｂおよび１層用外殻ＰＣａ柱部材２上に形成される第３階層柱梁仕口部３ｃに接合されて構成される。
【００１６】
１階層は、１層の柱部と１つの柱梁仕口部とから構成される。１層の柱部の高さ寸法は、上下２つの柱梁仕口部３ａ〜３ｃ間の高さ寸法となる。第１階層は、第１階層柱部６ａと第１階層柱梁仕口部３ａとで構成され、第２階層は、第２階層柱部６ｂと第２階層柱梁仕口部３ｂとで構成され、第３階層は、第３階層柱部６ｃと第３階層柱梁仕口部３ｃとで構成されて、これら第１階層から第３階層の３階層分が一単位として柱・梁架構の柱が構築される。また、各柱梁仕口部３ａ〜３ｃには、柱間に架設されるＰＣａ梁部材４ａ，４ｂ，５が接合され、これにより柱・梁架構の梁が構築される。
【００１７】
３層柱ユニット１は、２層用外殻ＰＣａ柱部材６と、柱主筋９とから構成される。２層用外殻ＰＣａ柱部材６は、遠心成形あるいは所定型枠へのコンクリート流し込み成形により中空筒体状に形成される。２層用外殻ＰＣａ柱部材６には、その肉厚部分にフープ筋１０が、また必要に応じて、中子筋１１が柱剪断補強筋として埋設されて配筋される。これらフープ筋１０や中子筋１１は、遠心成形に際して、予め遠心成形用型枠に配設され、当該遠心成形用型枠内に投入されて遠心力の作用を受けるコンクリートによって覆われて、２層用外殻ＰＣａ柱部材６に埋設される。流し込み成形の場合も同様である。
【００１８】
２層用外殻ＰＣａ柱部材６は、第１階層柱部６ａ、第１階層柱梁仕口部３ａおよび第２階層柱部６ｂを備える高さ寸法で形成され、柱建て込み位置に設けられる。２層用外殻ＰＣａ柱部材６の第１階層柱梁仕口部３ａは第１階層柱部６ａ等と一連に中空筒体状に形成され、その肉厚部分を貫通して複数の貫通孔１２が形成される。これら貫通孔１２にはそれぞれ、第１階層柱梁仕口部３ａを貫通して外方へ突出される貫通梁主筋７が移動自在に配筋される。第１階層柱梁仕口部３ａから外方へ突出された貫通梁主筋７の突出部分には、スターラップ筋１３が配筋される。
【００１９】
柱主筋９は、３層の柱部６ａ〜６ｃと３階層の柱梁仕口部３ａ〜３ｃに亘る３階層分の高さ寸法Ｌを有する。柱主筋９は、２層用外殻ＰＣａ柱部材６内部の中央位置およびその内周面に沿わせて適宜に配筋される。これら柱主筋９は、柱建て込み位置への建て込み前のクレーンなどによる吊り上げ状態で、２層用外殻ＰＣａ柱部材６内にその高さ方向に沿って移動自在に設けられる。具体的には、吊り具として、２層用外殻ＰＣａ柱部材６を吊るための第１吊り具１４と、柱主筋９を吊るための第２吊り具１５とが用いられ、これら吊り具１４，１５の上下位置関係を調整することで２層用外殻ＰＣａ柱部材６と柱主筋９との位置関係を調節して、柱主筋９の下端部を２層用外殻ＰＣａ柱部材６から下方に鉄筋接合作業に必要な長さだけ突出させた状態で吊り込みが行われるようになっている。このように柱主筋９の下端部を突出させることで、柱建て込み位置に床面レベルより所定長さ突設された下階からの既設の柱主筋８との接合作業の利便性が図られる。
【００２０】
既設の柱主筋８と、３層柱ユニット１を構成する突出状態の柱主筋９との接合後、これら柱主筋８，９同士の接合部分を覆うようにして第１吊り具１４が下降されて、２層用外殻ＰＣａ柱部材６が柱建て込み位置に建て込まれるようになっている。柱主筋９は３階層分の高さ寸法Ｌで形成されることから、既設の柱主筋８と接合することで、当該柱主筋９は、２層用外殻ＰＣａ柱部材６から上方へ、１つの柱梁接合部分の高さおよび１階層分の高さに、既設の柱主筋８の突設量を加えた高さＰで突出される。柱主筋８，９同士の接合は、ガス圧接継ぎ手や溶接継ぎ手、重ね継ぎ手、ねじ継ぎ手、スリーブ継ぎ手など各種周知の継ぎ手を採用することができる。また、柱主筋９には予め、当該柱主筋９の長さ方向に沿って配筋される複数のフープ筋１６、本実施形態にあっては、第２階層柱部６ｂ上の第２階層柱梁仕口部３ｂに配筋されるフープ筋１６が適宜位置にまとめて、番線などによって束ねて保持される。
【００２１】
以上の３層柱ユニット１は、その柱主筋９が施工階の柱建て込み位置に突設される既設の柱主筋８と接合された上で、２層用外殻ＰＣａ柱部材６が建て込まれることで、第１階層柱部６ａ、貫通梁主筋７を有する第１階層柱梁仕口部３ａ、並びに第２階層柱部６ｂを構成する。
【００２２】
１層用外殻ＰＣａ柱部材２は２層用外殻ＰＣａ柱部材６と同様に、遠心成形あるいは所定型枠へのコンクリート流し込み成形によって中空筒体状に形成される。１層用外殻ＰＣａ柱部材２にも、その肉厚部分にフープ筋が、また必要に応じて中子筋が柱剪断補強筋として埋設して配筋される。この１層用外殻ＰＣａ柱部材２は、１層分の高さ寸法（１階層から柱梁仕口部を除いた高さ寸法）で形成され、３層柱ユニット１の２層用外殻ＰＣａ柱部材６から突出する柱主筋９が挿通されつつ、当該２層用外殻ＰＣａ柱部材６上に形成される第２階層柱梁仕口部３ｂ上に建て込まれて、第３階層柱部６ｃを構成する。
【００２３】
ＰＣａ梁部材４ａ，４ｂ，５は、３層柱ユニット１および１層用外殻ＰＣａ柱部材２を架構の高さ方向に交互に設けることで、上方に向かって構築される第１階層、第２階層および第３階層それぞれの柱部上に形成される各階層の柱梁仕口部３ａ〜３ｃにそれぞれ接合される。ＰＣａ梁部材４ａ，４ｂ，５としては、第１階層柱梁仕口部３ａにその貫通梁主筋７を介して接合される短尺ＰＣａ梁部材４ａ，４ｂと、貫通梁主筋７が配筋されない第２階層柱梁仕口部３ｂおよび１層用外殻ＰＣａ柱部材２上に形成される第３階層柱梁仕口部３ｃに接合される長尺ＰＣａ梁部材５の２種類が用いられる。
【００２４】
長尺ＰＣａ梁部材５は、その両端部が柱部上端に設置される長さ寸法で形成され、長尺ＰＣａ梁部材５内に埋設される梁主筋１７およびスターラップ筋のうち梁主筋１７は、両端部から柱梁仕口部３ｂ，３ｃ内に達するように突出される。短尺ＰＣａ梁部材４ａ，４ｂは、これに埋設される梁主筋１８およびスターラップ筋のうち、その一端部から突出される梁主筋１８が貫通梁主筋７と接合される関係上、長尺ＰＣａ梁部材５よりも、これら梁主筋７，１８同士の接合部分の長さ寸法を差し引いて短縮した長さ寸法で形成される。
【００２５】
図示するように、隣接する柱間で、３層柱ユニット１の建て込み階が同じ場合（中央の柱と左側の柱）には、第１階層柱梁仕口部３ａが同じ高さ位置となるので、両端部で梁主筋７，１８同士の接合部分の長さ寸法を差し引いた短尺ＰＣａ梁部材（以下、第１短尺ＰＣａ梁部材という）４ａが用いられ、３層柱ユニット１の建て込み階が異なる場合（中央の柱と右側の柱）には、第１階層柱梁仕口部３ａが異なる高さ位置となるので、一端部で梁主筋７，１８同士の接合部分の長さ寸法を差し引いた短尺ＰＣａ梁部材（以下、第２短尺ＰＣａ梁部材という）４ｂが用いられる。後者の第２短尺ＰＣａ梁部材４ｂの他端部からは、梁主筋１８は長尺ＰＣａ梁部材５と同様に、柱梁仕口部３ｂ，３ｃ内に達するように突出される。従って、短尺ＰＣａ梁部材４ａ，４ｂとしては、長さ寸法の異なる２つのタイプが使用される。
【００２６】
そして短尺ＰＣａ梁部材４ａ，４ｂは、梁主筋１８の少なくとも一端が貫通梁主筋７と接合されて、第１階層柱梁仕口部３ａに結合され、他端が他の第１階層柱梁仕口部４ｃの貫通梁主筋７と接合もしくは第２階層や第３階層柱梁仕口部３ｂ，３ｃ位置に配筋されて、これら柱梁仕口部３ａ〜３ｃと接合される。また長尺ＰＣａ梁部材５は、梁主筋１７が第２階層や第３階層柱梁仕口部３ｂ，３ｃに配筋されて、これら柱梁仕口部３ｂ，３ｃに結合される。梁主筋７，１７，１８同士の接合についても、ガス圧接継ぎ手や溶接継ぎ手、重ね継ぎ手、ねじ継ぎ手、スリーブ継ぎ手など各種周知の継ぎ手を採用することができる。これらＰＣａ梁部材４ａ，４ｂ，５としては、フルプレキャスト製、ハーフプレキャスト製のいずれであってもよい。
【００２７】
本実施形態のＲＣ造柱・梁架構は、柱が３層柱ユニット１と１層用外殻ＰＣａ柱部材２とを交互に設けることによって構築され、梁がＰＣａ梁部材４ａ，４ｂ，５によって構築される。いずれかの施工階の柱建て込み位置に３層柱ユニット１が設けられる。図示例にあっては、（ｎ）階の中央と左側の柱建て込み位置に３層柱ユニット１が設けられている。また、右側の３層柱ユニット１は、１階層上の（ｎ＋１）階の柱建て込み位置に設けられている。
【００２８】
以下、中央と左側の柱およびこれらに架設される梁について説明すると、３層柱ユニット１の２層用外殻ＰＣａ柱部材６は、第１および第２階層柱部６ａ，６ｂが（ｎ）階と（ｎ＋１）階の柱部を構成し、第１階層柱梁仕口部３ａが（ｎ）階の柱梁仕口部を構成する。また、（ｎ）階床面から突設される既設の柱主筋８と接合される当該３層柱ユニット１の柱主筋９は、（ｎ）階からほぼ（ｎ＋３）階に達する。（ｎ）階の柱梁仕口部３ａには、隣接する柱間に掛け渡して第１短尺ＰＣａ梁部材４ａが設けられる。第１短尺ＰＣａ梁部材４ａは、その梁主筋１８が（ｎ）階の柱梁仕口部３ａの貫通梁主筋７に接合されかつこれら梁主筋７，１８接合部周りに現場打ちコンクリートが打設されて、当該（ｎ）階の柱梁仕口部３ａに接合される。
【００２９】
２層用外殻ＰＣａ柱部材６上の第２階層柱梁仕口部３ｂ位置には、柱主筋９に予め保持されていたフープ筋１６が配筋されるとともに、隣接する柱、具体的には隣接する２層用外殻ＰＣａ柱部材６との間に掛け渡される長尺ＰＣａ梁部材５の梁主筋１７が配筋され、現場打ちコンクリートが２層用外殻ＰＣａ柱部材６内部およびその上部に打設されて、２層用外殻ＰＣａ柱部材６が柱として完成されるとともに、その上に第２階層柱梁仕口部３ｂが（ｎ＋１）階の柱梁仕口部として形成される。
【００３０】
（ｎ＋１）階の柱梁仕口部３ｂ上に、１層用外殻ＰＣａ柱部材２が柱主筋９に挿通して設けられる。この１層用外殻ＰＣａ柱部材２は、（ｎ＋２）階の柱部６ｃを構成する。１層用外殻ＰＣａ柱部材２上の第３階層柱梁仕口部３ｃ位置には、別途準備したフープ筋が配筋されるとともに、隣接する柱、具体的には隣接する１層用外殻ＰＣａ柱部材２との間に掛け渡される長尺ＰＣａ梁部材５の梁主筋１７が配筋され、現場打ちコンクリートが１層用外殻ＰＣａ柱部材２内部およびその上部に打設されて、１層用外殻ＰＣａ柱部材２が柱として完成されるとともに、その上に第３階層柱梁仕口部３ｃが（ｎ＋２）階の柱梁仕口部として形成される。そしてこの（ｎ＋２）階の柱梁仕口部３ｃ、すなわち（ｎ＋３）階の床面から、３層柱ユニット１の柱主筋９が上方に向かって突出され、この柱主筋９が、直上の施工階にさらに建て込まれる３層柱ユニット１の柱主筋９と接合される既設の柱主筋となる。
【００３１】
このようにして、３層柱ユニット１および１層用外殻ＰＣａ柱部材２により、３階層分を一単位として柱が構築される。
【００３２】
中央と右側の柱について説明すると、右側の柱を構成する３層柱ユニット１の建て込み階が１階層ずれていることから、３層柱ユニット１および１層用外殻ＰＣａ柱部材２により３階層分が一単位とされる柱について、中央の第２階層および第３階層がそれぞれ、右側の第１階層および第２階層に対応し、また中央の第３階層上にさらに建て込まれる３層柱ユニット１の第１階層が、右側の第３階層に対応する。この場合、中央および右側の柱梁仕口部３ａ〜３ｃのいずれかが第１階層柱梁仕口部３ａである階層（図示例では、（ｎ）階や（ｎ＋１）階）では、第２短尺ＰＣａ梁部材４ｂが設けられ、第２階層柱梁仕口部３ｂと第３階層柱梁仕口部３ｃとが向かい合う階層（図示例では、（ｎ＋２）階）では、長尺ＰＣａ梁部材５が設けられる。
【００３３】
次に、本実施形態にかかるＲＣ造柱・梁架構の構築方法について、図５〜図２０に従って説明する。本実施形態にあっては基本的には、上述した３層柱ユニット１、１層用外殻ＰＣａ柱部材２およびＰＣａ梁部材４ｂ，５を用い、３層柱ユニット１を、その柱主筋９を柱建て込み位置に突設される既設の柱主筋８と接合して２層用外殻ＰＣａ柱部材６から上方へ１階層分以上突出させた状態で、当該柱建て込み位置に建て込むステップと、３層柱ユニット１の側方にＰＣａ梁部材４ｂを建て込んで、その梁主筋１８を第１階層柱梁仕口部３ａの貫通梁主筋７に接合するステップと、貫通梁主筋７と梁主筋１８との接合部に現場打ちコンクリートを打設して、第１階層柱梁仕口部３ａにＰＣａ梁部材４ｂを接合するステップと、２層用外殻ＰＣａ柱部材６内部に現場打ちコンクリートを打設するステップとを含む第１工程と、３層柱ユニット１の２層用外殻ＰＣａ柱部材６上に他のＰＣａ梁部材５を建て込んで、その梁主筋１７を第２階層柱梁仕口部３ｂ位置に配筋するステップと、第２階層柱梁仕口部３ｂ位置に現場打ちコンクリートを打設して、第２階層柱梁仕口部３ｂを構築しつつこれに他のＰＣａ梁部材５を接合するステップとを含む第２工程と、第２階層柱梁仕口部３ｂ上に、これより突出する柱主筋９を挿通しつつ１層用外殻ＰＣａ柱部材２を建て込むステップと、１層用外殻ＰＣａ柱部材２上にさらに他のＰＣａ梁部材５を建て込んで、その梁主筋１７を第３階層柱梁仕口部３ｃ位置に配筋するステップと、１層用外殻ＰＣａ柱部材２内部に現場打ちコンクリートを打設するステップと、第３階層柱梁仕口部３ｃ位置に現場打ちコンクリートを打設して、第３階層柱梁仕口部３ｃを構築しつつこれにさらに他のＰＣａ梁部材５を接合し、柱主筋９がその上方へ突設される当該第３階層柱梁仕口部３ｃを柱建て込み位置とするステップとを含む第３工程とを備え、これら第１工程から第３工程の手順を繰り返すようになっている。
【００３４】
図５〜図１６には、高さ方向への構築過程が手順に従って示されている。図１７〜図２０には、同一施工階での横方向への構築過程が手順に従って示されている。まず、高さ方向への構築手順について説明する。
【００３５】
最初に、図５に示すように、２層用外殻ＰＣａ柱部材６内部に柱主筋９を移動自在に設け、第１階層柱梁仕口部３ａには貫通梁主筋７を配筋し、かつまた当該貫通梁主筋７にスターラップ筋１３を配筋した３層柱ユニット１を、施工階である（ｎ）階の柱建て込み位置に建て込む。建て込みに際しては、２層用外殻ＰＣａ柱部材６の下方へ柱主筋９を突出させた状態で３層柱ユニット１を吊り込み、当該２層用外殻ＰＣａ柱部材６を（ｎ）階の床面に設置する前に、柱主筋９を、（ｎ）階床面の柱建て込み位置から突設されている既設の柱主筋８に接合する。その後、接合された柱主筋９に対して２層用外殻ＰＣａ柱部材６を吊り下ろし、当該２層用外殻ＰＣａ柱部材６を、柱主筋８，９同士の接合部を覆って、（ｎ）階床面に設置する。これにより、２層用外殻ＰＣａ柱部材６は（ｎ）階から（ｎ＋１）階まで立ち上げられ、また柱主筋９は、ほぼ（ｎ＋３）階床面上の高さ位置まで立ち上げられる。
【００３６】
次に、図６に示すように、第２短尺ＰＣａ梁部材４ｂを、３層柱ユニット１側方の柱間に吊り降ろす。本実施形態にあっては、第２短尺ＰＣａ梁部材４ｂとして、上部にスターラップ筋１９の上端が突出されたハーフプレキャスト製のものが示されている。このハーフプレキャスト製の第２短尺ＰＣａ梁部材４ｂでは、梁下端主筋は埋設される一方で、梁上端主筋１８ａは、第１階層柱梁仕口部３ａの貫通梁主筋７に向かって移動自在に設けられる。
【００３７】
次に、図７に示すように、吊り込んだ第２短尺ＰＣａ梁部材４ｂを支保工２０で（ｎ）階床面上方に支持する。また、梁上端主筋１８ａを貫通梁主筋７と重ね合わせるように移動させる。梁下端主筋については、貫通梁主筋７に対し、突き合わせるなどして接合すればよい。
【００３８】
次に、図８に示すように、第１階層柱梁仕口部３ａの側方で、梁主筋７，１８同士の接合部を覆って型枠２１を設け、当該型枠２１内部に現場打ちコンクリートを打設して、第２短尺ＰＣａ梁部材４ｂを３層柱ユニット１の第１階層柱梁仕口部３ａに接合する。また、２層用外殻ＰＣａ柱部材６内部にも現場打ちコンクリートを打設する。さらに、ハーフプレキャスト製の第２短尺ＰＣａ梁部材４ｂ上部から床面にわたってスラブコンクリートを打設して、（ｎ＋１）階の床構築作業を行うようにしてもよい。この際、２層用外殻ＰＣａ柱部材６内部に打設するコンクリートと、梁主筋７，１８の接合部周りや、第２短尺ＰＣａ梁部材４ｂ上部、さらに床に打設するコンクリートとを打ち分けるようにしてもよい。以上により、図９に示すように、（ｎ）階の柱・梁架構の構築が完了し、（ｎ＋１）階に第２階層柱部６ｂが立設された状態で、第１工程が完了する。
【００３９】
次に、図１０に示すように、長尺ＰＣａ梁部材５を、フープ筋１６を避けつつ、柱間に吊り降ろす。本実施形態にあっては、長尺ＰＣａ梁部材５も、上部にスターラップ筋１９の上端が突出されたハーフプレキャスト製とされ、梁下端主筋は埋設される一方で、梁上端主筋１７ａは、第２階層柱梁仕口部３ｂ位置に向かって移動可能に設けられる。
【００４０】
次に、図１１に示すように、吊り込んだ長尺ＰＣａ梁部材５を、支保工２０で（ｎ＋１）階床面上方に支持しつつ、２層用外殻ＰＣａ柱部材６上に建て込む。梁上端主筋１７ａおよび梁下端主筋はそれぞれ、第２階層柱梁仕口部３ｂ位置で、隣接して建て込まれる図示しない他の長尺ＰＣａ梁部材の梁上端主筋および梁下端主筋と突き合わせるなどして接合される。梁上端主筋１７ａは、必要に応じて第２階層柱梁仕口部３ｂ位置に向かって移動させるようにしてもよい。またこの際、柱主筋９に予め保持されていたフープ筋１６を下降させて、第２階層柱梁仕口部３ｂ位置に配筋する。これにより、梁主筋１７を含めて、第２階層柱梁仕口部３ｂ位置に対する配筋を完了する。
【００４１】
次に、図１２に示すように、第２階層柱梁仕口部３ｂ位置を取り囲んで型枠２２を設け、当該型枠２２内部に現場打ちコンクリートを打設して、第２階層柱梁仕口部３ｂを構築しつつこれに長尺ＰＣａ梁部材５を接合する。２層用外殻ＰＣａ柱部材６内部へのコンクリート打設については、図８に示した施工段階では若干打ち残しをしておき、当該第２階層柱梁仕口部３ｂの構築の際に、コンクリート打設を完了するようにしてもよい。この第２階層柱梁仕口部３ｂ位置に打設されるコンクリートは、柱と梁でコンクリートを打ち分ける場合には、柱用のコンクリートが打設される。他方、ハーフプレキャスト製の長尺ＰＣａ梁部材５上部から床面にわたってスラブコンクリートを打設して、（ｎ＋２）階の床構築作業を行うようにしてもよい。以上により、（ｎ＋１）階の柱・梁架構の構築が完了し、（ｎ＋２）階に柱主筋９がほぼ１階層分突出された状態で、第２工程が完了する。
【００４２】
次に、図１３に示すように、１層用外殻ＰＣａ柱部材２を、柱主筋９に挿通しつつ、第２階層柱梁仕口部３ｂ上に建て込んで、（ｎ＋２）階に設置する。次に、図１４に示すように、長尺ＰＣａ梁部材５を、柱間に吊り下ろす。その後、図１５に示すように、吊り込んだ長尺ＰＣａ梁部材５を、支保工２０で（ｎ＋２）階床面上方に支持しつつ、１層用外殻ＰＣａ柱部材２上に建て込む。梁上端主筋１７ａおよび梁下端主筋はそれぞれ、第３階層柱梁仕口部３ｃ位置で、隣接して建て込まれる図示しない他の長尺ＰＣａ梁部材の梁上端主筋および梁下端主筋と突き合わせるなどして接合される。梁上端主筋１７ａは、必要に応じて第３階層柱梁仕口部３ｃ位置に向かって移動させるようにしてもよい。またこの際、柱主筋９に別途準備したフープ筋２３を装着して、第３階層柱梁仕口部３ｃ位置に配筋する。これにより、梁主筋１７を含めて、第３階層柱梁仕口部３ｃ位置に対する配筋を完了する。
【００４３】
次に、図１６に示すように、第３階層柱梁仕口部３ｃ位置を取り囲んで型枠２２を設け、当該型枠２２内部に現場打ちコンクリートを打設して、第３階層柱梁仕口部３ｃを構築しつつこれに長尺ＰＣａ梁部材５を接合する。この第３階層柱梁仕口部３ｃ位置へのコンクリート打設に先立って、あるいはこれと同時に、１層用外殻ＰＣａ柱部材２内部に現場打ちコンクリートを打設する。第３階層柱梁仕口部３ｃ位置に打設されるコンクリートも、柱と梁でコンクリートを打ち分ける場合には、柱用のコンクリートが打設される。また、ハーフプレキャスト製の長尺ＰＣａ梁部材５上部から床面にわたってスラブコンクリートを打設して、（ｎ＋３）階の床構築作業を行うようにしてもよい。以上により、（ｎ＋２）階の柱・梁架構の構築が完了し、（ｎ＋３）階に、３層柱ユニット１の柱主筋９が、柱建て込み位置の既設の柱主筋として突設された状態で、第３工程が完了する。
【００４４】
そしてこれら第１工程から第３工程の手順を繰り返すことで、３階層分を一単位としてＲＣ造柱・梁架構が上方へ向かって順次構築されていく。
【００４５】
図１７〜図２０によって、同一施工階での横方向への構築手順の一例を説明する。図示例にあっては、左側の柱は、建て込み階が（ｎ）階で、当該（ｎ）階に第１階層が位置される一方で、中央および右側の柱では３層柱ユニット１の建て込み階が異なり、中央の柱は、建て込み階が（ｎ−１）階で、（ｎ）階では第２階層が位置し、右側の柱は、建て込み階が（ｎ−２）階で、（ｎ）階には第３階層が位置している。図１７に示すように、左側の柱では、上記図５と同様な、３層柱ユニット１を建て込む作業が行われ、中央の柱は、上記図９と同様に、２層用外殻ＰＣａ柱部材６上への長尺ＰＣａ梁部材５の建て込み待機状態にあるとともに、右側の柱では、図１３と同様に、１層用外殻ＰＣａ柱部材２を建て込む作業が行われる。
【００４６】
次に、図１８に示すように、左側と中央の柱間および中央と右側の柱間にそれぞれ、いずれもハーフプレキャスト製の第２短尺ＰＣａ梁部材４ｂおよび長尺ＰＣａ梁部材５の吊り込みが行われる。そして図１９に示すように、第２短尺ＰＣａ梁部材４ｂは、一端部の梁主筋１８が左側の柱の第１階層柱梁仕口部３ａの貫通梁主筋７と接合され、他端部の梁主筋１８が中央の柱の第２階層柱梁仕口部３ｂ位置に配筋される。他方、長尺ＰＣａ梁部材５は、両端部の梁主筋１７がそれぞれ中央の柱の第２階層柱梁仕口部３ｂ位置および左側の柱の第３階層柱梁仕口部３ｃ位置に配筋される。また、これら第２および第３階層柱梁仕口部３ｂ，３ｃ位置には、フープ筋１６，２３が配筋される。
【００４７】
その後、図２０に示すように、左側の柱について、梁主筋７，１８同士の接合部を覆って型枠２１を配置し、また、中央および右側の柱について、第２および第３階層柱梁仕口部３ｂ，３ｃ位置に型枠２２を配置する。そして、左側の柱については、２層用外殻ＰＣａ柱部材６内部および梁主筋７，１８接合部周りの型枠２１内部に、中央の柱については、第２階層柱梁仕口部３ｂ位置の型枠２２内部および必要に応じて２層用外殻ＰＣａ柱部材６内部に、そしてまた、右側の柱については、第３階層柱梁仕口部３ｃ位置の型枠２２内部および１層用外殻ＰＣａ柱部材２内部に現場打ちコンクリートをそれぞれ打設し、これにより、２層用外殻ＰＣａ柱部材６および１層用外殻ＰＣａ柱部材２で構成される各柱部６ａ〜６ｃの構築を完了しつつ、第２短尺ＰＣａ梁部材４ｂを、左側の柱の第１階層柱梁仕口部３ａと中央の柱の第２階層柱梁仕口部３ｂに接合し、また長尺ＰＣａ梁部材５を、中央の柱の第２階層柱梁仕口部３ｂおよび右側の柱の第３階層柱梁仕口部３ｃに接合して、（ｎ）階におけるＲＣ造柱・梁架構の構築を完了するようになっている。
【００４８】
ハーフプレキャスト製のＰＣａ梁部材４ｂ，５上部から床面にわたるスラブコンクリートの打設による床の構築作業は、適宜なタイミングで行われる。
【００４９】
以上説明した本実施形態にかかるＲＣ造柱・梁架構およびその構築方法にあっては、貫通梁主筋７が配筋された第１階層柱梁仕口部３ａを含む２層用外殻ＰＣａ柱部材６および３階層にわたる柱主筋９とから構成される３層柱ユニット１と、当該柱主筋９に挿通される１層用外殻ＰＣａ柱部材２とを交互に設けて柱を構築するようにしたので、建物の３階層分を一単位として施工することができ、これにより柱主筋９の継ぎ手を減らすことができるとともに、少なくとも一つの柱梁仕口部３ａが２層用外殻ＰＣａ柱部材６に予め組み込まれていて、柱梁仕口部３ａ〜３ｃに対する現場での配筋作業量を削減でき、現場施工による柱の構築作業量を軽減できるとともに、作業時間を短縮化できて、施工の合理化・省力化を達成することができる。
【００５０】
そして本実施形態にかかるＲＣ造柱・梁架構の構築方法は、これら３層柱ユニット１、１層用外殻ＰＣａ柱部材２およびＰＣａ梁部材４ａ，４ｂ，５によって構成されるＲＣ造柱・梁架構を効率よく構築することができる。
【００５１】
また、３層柱ユニット１の第１階層柱梁仕口部３ａに貫通梁主筋７を設けて、３層柱ユニット１の側方で貫通梁主筋７とＰＣａ梁部材４ａ，４ｂの梁主筋１８とを接合するとともに、当該第１階層柱梁仕口部４ａに接合するＰＣａ梁部材として短尺ＰＣａ梁部材４ａ，４ｂを用いるようにしたので、第１階層柱梁仕口部３ａでは、錯綜する配筋作業を避けることができるとともに、短尺ＰＣａ梁部材４ａ，４ｂは軽量であることから揚重作業の利便性も図ることができ、第１階層柱梁仕口部３ａの構築に要する作業量を軽減できるとともに、作業時間を短縮化することができる。
【００５２】
また、３層柱ユニット１の柱主筋９を、２層用外殻ＰＣａ柱部材６内にその高さ方向に沿って移動自在に設け、３層柱ユニット１の建て込みに際しては、柱建て込み位置に突設された既設の柱主筋８との接合のために２層用外殻ＰＣａ柱部材６下方へ突出させるようにしたので、柱主筋８，９を接合する作業を容易に行うことができる。
【００５３】
また、第２および第３階層柱梁仕口部３ｂ，３ｃに接合される梁部材として、１層用および２層用外殻ＰＣａ柱部材２，６上にそれらの端部が載置される長尺ＰＣａ梁部材５を用い、これら第２および第３階層柱梁仕口部３ｂ，３ｃ位置には当該柱梁仕口部３ｂ，３ｃを取り囲む型枠２２を設置して、それらの内部に現場打ちコンクリートを打設することでこれらの柱梁仕口部３ｂ，３ｃを構築するようにして、柱に沿って打設されるコンクリートと、梁に沿って現場打ちされるスラブコンクリートなどのコンクリートとを打ち分けるようにしたので、高価である一方高い強度を有する高強度コンクリートなどのコンクリートを柱のみに打設し、梁や床には、必要強度に応じた比較的低廉なコンクリートを打設することができて、健全性の高い柱・梁架構を備える建物を低コストで構築することができる。
【００５４】
特に、３層柱ユニット１の２層用外殻ＰＣａ柱部材６では、第１階層柱梁仕口部３ａには貫通梁主筋７を挿通する貫通孔１２が形成されているのみであり、型枠を使用することなく、当該２層用外殻ＰＣａ柱部材６自体によって、コンクリートの打ち分けをすることができる。
【００５５】
さらに、柱主筋９に予め、当該柱主筋９の長さ方向、具体的には第２階層柱梁仕口部３ｂに配筋されるフープ筋１６を適宜位置にまとめて保持させるようにしたので、現場での第２階層柱梁仕口部３ｂ位置に対する配筋作業を軽減できるとともに、作業時間を短縮化することができる。
【００５６】
また、ＰＣａ梁部材４ａ，４ｂ，５としては、フルプレキャスト製でなく、軽量で比較的安価なハーフプレキャスト製のものを用いることで、作業性良好かつ安価にＲＣ造柱・梁架構を構築することができる。
【図面の簡単な説明】
【００５７】
【図１】本発明にかかるＲＣ造柱・梁架構の好適な一実施形態を説明するための、当該柱・梁架構を正面から見た説明図である。
【図２】図１に示したＲＣ造柱・梁架構に用いられる３層柱ユニットの建て込み状態を示す説明図である。
【図３】図２に示した３層柱ユニットに適用される２層用外殻ＰＣａ柱部材の第１階層柱梁仕口部の平面断面図である。
【図４】図２に示した３層柱ユニットに適用される２層用外殻ＰＣａ柱部材の柱部の平面断面図である。
【図５】本発明にかかるＲＣ造柱・梁架構の構築方法の好適な一実施形態の手順のうち、ＲＣ造柱・梁架構の高さ方向への第１手順を説明する説明図である。
【図６】本発明にかかるＲＣ造柱・梁架構の構築方法の好適な一実施形態の手順のうち、ＲＣ造柱・梁架構の高さ方向への第２手順を説明する説明図である。
【図７】本発明にかかるＲＣ造柱・梁架構の構築方法の好適な一実施形態の手順のうち、ＲＣ造柱・梁架構の高さ方向への第３手順を説明する説明図である。
【図８】本発明にかかるＲＣ造柱・梁架構の構築方法の好適な一実施形態の手順のうち、ＲＣ造柱・梁架構の高さ方向への第４手順を説明する説明図である。
【図９】本発明にかかるＲＣ造柱・梁架構の構築方法の好適な一実施形態の手順のうち、ＲＣ造柱・梁架構の高さ方向への第５手順を説明する説明図である。
【図１０】本発明にかかるＲＣ造柱・梁架構の構築方法の好適な一実施形態の手順のうち、ＲＣ造柱・梁架構の高さ方向への第６手順を説明する説明図である。
【図１１】本発明にかかるＲＣ造柱・梁架構の構築方法の好適な一実施形態の手順のうち、ＲＣ造柱・梁架構の高さ方向への第７手順を説明する説明図である。
【図１２】本発明にかかるＲＣ造柱・梁架構の構築方法の好適な一実施形態の手順のうち、ＲＣ造柱・梁架構の高さ方向への第８手順を説明する説明図である。
【図１３】本発明にかかるＲＣ造柱・梁架構の構築方法の好適な一実施形態の手順のうち、ＲＣ造柱・梁架構の高さ方向への第９手順を説明する説明図である。
【図１４】本発明にかかるＲＣ造柱・梁架構の構築方法の好適な一実施形態の手順のうち、ＲＣ造柱・梁架構の高さ方向への第１０手順を説明する説明図である。
【図１５】本発明にかかるＲＣ造柱・梁架構の構築方法の好適な一実施形態の手順のうち、ＲＣ造柱・梁架構の高さ方向への第１１手順を説明する説明図である。
【図１６】本発明にかかるＲＣ造柱・梁架構の構築方法の好適な一実施形態の手順のうち、ＲＣ造柱・梁架構の高さ方向への第１２手順を説明する説明図である。
【図１７】本発明にかかるＲＣ造柱・梁架構の構築方法の好適な一実施形態の手順のうち、ＲＣ造柱・梁架構の同一施工階における横方向への第１手順を説明する説明図である。
【図１８】本発明にかかるＲＣ造柱・梁架構の構築方法の好適な一実施形態の手順のうち、ＲＣ造柱・梁架構の同一施工階における横方向への第２手順を説明する説明図である。
【図１９】本発明にかかるＲＣ造柱・梁架構の構築方法の好適な一実施形態の手順のうち、ＲＣ造柱・梁架構の同一施工階における横方向への第３手順を説明する説明図である。
【図２０】本発明にかかるＲＣ造柱・梁架構の構築方法の好適な一実施形態の手順のうち、ＲＣ造柱・梁架構の同一施工階における横方向への第４手順を説明する説明図である。
【符号の説明】
【００５８】
１  ３層柱ユニット
２  １層用外殻ＰＣａ柱部材
３ａ〜３ｃ  柱梁仕口部
４ａ，４ｂ，５  ＰＣａ梁部材
６  ２層用外殻ＰＣａ柱部材
７  貫通梁主筋
８  既設の柱主筋
９  柱主筋
１６  フープ筋
１７，１８  梁主筋
【図１】
0004515360.tif 000002
【図２】
0004515360.tif 000003
【図３】
0004515360.tif 000004
【図４】
0004515360.tif 000005
【図５】
0004515360.tif 000006
【図６】
0004515360.tif 000007
【図７】
0004515360.tif 000008
【図８】
0004515360.tif 000009
【図９】
0004515360.tif 000010
【図１０】
0004515360.tif 000011
【図１１】
0004515360.tif 000012
【図１２】
0004515360.tif 000013
【図１３】
0004515360.tif 000014
【図１４】
0004515360.tif 000015
【図１５】
0004515360.tif 000016
【図１６】
0004515360.tif 000017
【図１７】
0004515360.tif 000018
【図１８】
0004515360.tif 000019
【図１９】
0004515360.tif 000020
【図２０】
0004515360.tif 000021